(57)【要約】      （修正有）【課題】タオル織物又は手ぬぐい地で製作されたタオル類を首や頭に巻いたときにずれ落ちないで固定でき、マフラーや帽子とタオルの機能を兼ね備える留め具付きタオルを提供する。【解決手段】タオル織物または手ぬぐい地で製作したタオル類を縦長に４つ折りにし、４つ折りにしたタオル類の両端を各々縫いつけ、各々の重ね合わせ部を作り、タオル類の一端にできた重ね合わせ部にオスのマジックテープ（商標）を、他端の重ね合わせ部にメスのマジックテープ（商標）を取りつけ、タオル類を折り曲げたときの片側の一部にリング体を設けた留め具付きタオルで解決できる。【選択図】図１
0003134396.tif 000002
【実用新案登録請求の範囲】
【請求項１】
イ）タオル織物または手ぬぐい地で製作したタオル類（１）を縦長に複数回織り込む。
ロ）織り込んだタオル類（１）の両端の一部分を各々縫いつけ、重ね合わせ部（２）（３）を設ける。
ハ）重ね合わせ部（２）の一部にオスのマジックテープ（商標）（４）を設け、重ね合わせ部（３）の一部にメスのマジックテープ（商標）（５）を取り付ける。
ニ）タオル類（１）の一部にリング体（６）を設ける。
以上の如く構成された留め具付きタオル。
【考案の詳細な説明】
【技術分野】
【０００１】  本考案は、タオル織物又は手ぬぐい地で製作されたタオル類を首や頭に巻いたときにずれ落ちないで固定できマフラーや帽子とタオルの機能を兼ね備える留め具付きタオルに関するものである。
【背景技術】
【０００２】  従来、運動するときや軽作業などをするときは、タオル類を首に巻いたり、頭に鉢巻にしたりして利用していたが、運動中や作業中にタオル類が外れて落ちるという問題があった。【０００３】  既存のタオルでは、寸法もメーカーにより異なり、身体の首や頭に巻いて結び目を作るには長さが足りず結べないものや、長いタオルは結べても長すぎて邪魔になる。太いタオルは結び目がほどけ易いなど首に巻いたり、頭に鉢巻にして巻いて利用するのには不便であった。また、冠り物の表面に布を巻く結び目を設けたことを特徴とする［特許文献１］では、構造的に本考案とは異なりマフラーにするには不向きである。また、垂れ布部が係止部材のリングの中に嵌挿されて使用されるタオルマフラー［実用新案文献１］などはタオルを首に巻いたり頭に鉢巻状にして巻いたりするときは、タオルの長さに十分な余長が無いときは、挿入したタオルがリングから外れて利用できないなど欠点がある。
【特許文献１】  特許公開２００６−２９１４３０号
【実用新案文献１】
登録実用新案第３１０７６０６号
【考案の開示】
【考案が解決しようとする課題】
【０００４】従来、タオル類を身体の首に巻いたり頭に鉢巻として利用する場合、タオル類を折りたたんだり絞ったりしてタオル類そのものを結んで留めていた。また、首に掛けて垂れ下げて使用していた。そのため、動作によりタオル類がずれ落ちてしまうなどの欠点があった。タオル類を縛って固定しても動きにより結び目がほどけて落ちてしまうなど欠点があった。【０００５】防寒用の毛織のマフラーは、ジョギングするときやスポーツジムで運動するときなどはそれで汗や汚れを拭くことはできずマフラーのほかにタオル類を持参していた。また、工事現場での作業をしながらのマフラー着用は作業の邪魔になるのでこれらの方法ではほとんど利用されていない。
【課題を解決するための手段】
【０００６】    本考案は、上記課題を解決するために考えたもので以下にその構成を説明すると、
イ）タオル織物または手ぬぐい地で製作したタオル類（１）を縦長に４つ折りにする。
ロ）４つ折りにしたタオル類（１）の各々の端に２ｃｍから１０ｃｍ部分を各々縫いつけ、重ね合わせ部（２）（３）を作る。
ハ）重ね合わせ部（２）の一部にオスのマジックテープ（商標）（４）を設け、重ね合わせ部（３）の一部にメスのマジックテープ（商標）（５）を取り付ける。
ニ）タオル類（１）を折り曲げたときの片側一部にリング体（６）を設ける。
以上の如く構成された留め具付きタオル。
【考案の効果】
【０００７】  本考案の留め具付きタオルは、以下の効果がある。
イ）  タオル類などを首に巻き留め具で固定できるのでマフラーの代わりとして利用してもずり落ちず通常のタオルと同様に汗拭きや手拭きなどにも利用できる。
ロ）  タオル類などを容易に頭に鉢巻き状に巻き付けることができ、寒いときの防寒用として利用できるとともに通常のタオルと同様に汗拭きや手拭きなどにも利用できる。
ハ）  首に巻いて運動をしたり踊りを踊ったりしてもずれ落ちず、浴衣やハッピを着る祭りやジョギングをするときなどのファッションとしても利用できる。
ニ）  駅伝の襷に利用すればマジックテープ（４）（５）の利用やリング体（６）の利用により襷がけをしても外れにくく安心して走ることができる。
【考案を実施するための最良の形態】
【０００８】  本考案の実施の形態を、以下に説明すると、
イ）タオル織物または手ぬぐい地で製作したタオル類（１）を縦長に４つ折りにする。
ロ）４つ折りにしたタオル類（１）の各々の端から２ｃｍから１０ｃｍ程度縫いつけ、重ね合わせ部（２）（３）を作る。
ハ）重ね合わせ部（２）の一部にオスのマジックテープ（商標）（４）を設け、重ね合わせ部（３）の一部にメスのマジックテープ（商標）（５）を取り付ける。
ニ）タオル類（１）を折り曲げたときの一片にリング体（６）を設ける。
以上の如く構成された留め具付きタオルで、これらは以下のように利用する。
【実施例】第３図のようにタオル類をマフラーのように首に巻き、垂れ下がった両端の一端をリング体（６）に挿入しマジックテ−プ（商標）のオス・メスにより固定する。
【産業上の利用可能性】
【０００９】  本考案は、以上のような留め具付きタオルで実施形態を説明すると、
第４図のようにタオル類の中央を開き頭にかぶせ、ほおかぶりしタオル類の一端を他の一端に設けたリング体（６）に挿入し固定する。第５図のようにタオル類をねじり鉢巻状にし、頭に巻きつけタオル類の一片をリング体（６）に挿入し固定する。第６図のようにタオル類（１）を帽子状にかぶり、タオル類の一片をリング体（６）に挿入し固定する。第４図から第６図はタオル類の両端にあるマジックテ−プ（商標）のオス・メスを利用し固定すればさらに外れにくくなる利点がある。また、第７図のようにタオル類（１）を首から垂れ下げリング体（６）を利用せずマジックテ−プ（商標）のオス・メスだけを利用した場合でも首から外れることは無いなどの利点がある。
【図面の簡単な説明】
【００１０】
【図１】本考案で使用するタオル類の展開図
【図２】本考案のタオル類を４つ折りにした図
【図３】本考案のタオル類をマフラーにし利用した使用例
【図４】本考案のタオル類をほおかぶりにした使用例
【図５】本考案のタオル類を鉢巻スタイルで利用した使用例
【図６】本考案を帽子スタイルで使用した使用例
【図７】本考案のリング体を使用しないで利用した図
【符号の説明】
【００１１】    １  タオル類
２  合わせ部
３  合わせ部
４  マジックテープ（商標）オス
５  マジックテープ（商標）メス
６  リング体
【図１】
0003134396.tif 000003
【図２】
0003134396.tif 000004
【図３】
0003134396.tif 000005
【図４】
0003134396.tif 000006
【図５】
0003134396.tif 000007
【図６】
0003134396.tif 000008
【図７】
0003134396.tif 000009